(57)【要約】      （修正有）【課題】不自然な手首動作を極力軽減する美顔器を提供する。【解決手段】炭酸ガスを導く可撓性ホースＰと、スプレー本体Ｓと、炭酸ガス供給用ボンベと、炭酸ガス供給用ボンベを収納する直立型ボンベ収納ボックスＸであって、炭酸ガス噴出調整用の円形調整用摘子１９が、直立型ボンベ収納ボックスＸの垂直線に対する水平線とで成す鋭角線上に傾斜して上側部に位置し、該円形調整摘子１９を一方向および反対方向に回転させることにって前記弁杆を一定傾斜の鋭角度にてスライドさせて流路を開閉することを特徴とする構成とする。【選択図】図２
2015058028.tif 000002
【特許請求の範囲】
【請求項１】
（ａ）炭酸ガスを導く可撓性ホースＰと、
（ｂ）スプレー本体Ｓであって、
（ｂ１）可撓性ホースＰの一端部に接続され、
（ｂ２）スプレー本体Ｓの先端に設けられる噴出ノズル３９と、
（ｂ３）スプレー本体Ｓに設けられ、所定量の化粧水を収納するカップ４０と、
（ｂ４）スプレー本体Ｓに設けられ、手先Ｈで操作される操作部３６とを備え、
（ｂ５）可撓性ホースＰからの炭酸ガスを操作部３６の操作によって開閉し、
（ｂ６）操作部３６の操作によって開いている状態で、可撓性ホースＰから導かれた炭酸ガスを、噴出ノズル３９から噴出させてカップ４０内の化粧水とともに、炭酸混合化粧水を、霧状に噴射するスプレー本体Ｓと、
（ｃ）炭酸ガス供給用ボンベＢであって、
（ｃ１）全体の形状が上下に細長く形成され、
（ｃ２）上端噴出口頭部３と、
（ｃ３）上端噴出口頭部３に形成されるネジ４と、
（ｃ４）上端噴出口頭部３に設けられる封印膜３ａとを有する炭酸ガス供給用  
ボンベＢと、
（ｄ）炭酸ガス供給用ボンベＢを収納する直立型ボンベ収納ボックスＸであって、
（ｄ１）全体の形状が上下に細長く形成され、
（ｄ２）炭酸ガス供給用ボンベＢの上端噴出口頭部３が螺合して炭酸ガス供給  
用ボンベＢの封印膜３ａを貫通する噴出用管１１を設けたソケット部
５と、
（ｅ）ソケット部５と連なるノズル部１４であって、
（ｅ１）炭酸ガス供給用ボンベＢからの炭酸ガスを可撓性ホースＰに供給する
流路と、
（ｅ２）この流路を開閉する弁杆２１と、
（ｆ）炭酸ガス噴出調整用の円形調整用摘子１９であって、
（ｆ１）直立型ボンベ収納ボックスＸの垂直線ｙ−ｙに対する水平線ｘ−ｘとで成す鋭角線ｗ−ｗ上に炭酸ガス噴出調整用の円形調整摘子１９を傾斜して上側部に位置させ、該円形調整摘子１９を一方向および反対方向に回転させることにって前記弁杆２１を一定傾斜の鋭角度θにてスライドさせて流路を開閉することを特徴とする美顔器。
【請求項２】
（ａ）ノズル部１４はＹ字管型であって、
（ａ−１）下端管１５をソケット部５に連結し、
（ａ−２）一方分岐管１６を可撓性ホースＰに供給する口金２２に連ね、
（ａ−３）他方分岐管１７を弁杆２１が一定傾斜角度θにてスライドする様に位置させ、
（ｂ）弁杆２１の傾斜スライドによって可撓性ホースＰの口金２２への炭酸ガス供給を制御する様にしたことを特徴とする請求項１記載の美顔器。
【請求項３】
（ａ）直立型ボンベ収納ボックスＸであって、
（ａ−１）炭酸ガス供給用ボンベＢを収納する下側筒体２と、
（ａ−２）縦割の左右分割体１−１、１−２より成る上側筒体１とで構成し、
（ａ−３）左右分割体１−１、１−２にて炭酸ガス供給用ボンベＢのソケット部５、ノズル部１４を抱合し、
（ｂ）且つ上側部に円形調整用摘子１９を傾斜させて位置させたことを特徴とする請求項１記載の美顔器。
【請求項４】
（ａ）縦割の左右分割体１−１、１−２より成る上側筒体１であって、
（ａ−１）内筒７を抱合し、
（ｂ）この内筒７に炭酸ガス供給用ボンベＢのソケット部５及びノズル部１４を装備したことを特徴とする請求項１から２の何れか１記載の美顔器。
【発明の詳細な説明】
【技術分野】
【０００１】
本発明は化粧水と炭酸ガスとの混合液を顔肌等に噴霧状に吹き付ける美顔器
に関する。
【背景技術】
【０００２】
近時、炭酸泉内の炭酸成分が皮膚下の毛細血管に作用してこの毛細血管を拡張させ、これにより入浴者の血行が改善されて入浴者の疲労回復や健康増進が図れることが、広く知られている。
この炭酸成分が皮膚下の毛細血管に作用してこの毛細血管を拡張させる効能を利用して、化粧水と共に混合液を顔肌等に吹き付けると共に、皮脂や汚れ等の残骸物を顔肌から遊離させて取り除き、より若々しく美しい顔肌を指向する。
そこで、これらに関連する多くの技術情報に基づき、本願発明者の一人がその一翼を担って技術文献１に示す美顔器の製品化に結び付けた。
その後、本願発明者が更なる技術開発に傾注し、より実用に即した製品の具現化を探求し、技術文献２に示す美顔器の製品化に結び付く発明を成した。  
この文献２については、炭酸ガス供給用ボンベが直接露呈しない様に筒体内に収納し、更にその筒体の上部にガス噴出用の円形調整用摘子を装備して美顔器としてより一層の感性を高めるに至った。
【０００３】
而して、この技術文献２についても、更なる技術改良を他の発明者と共に、企図し、探求することとした。
即ち、この技術文献２については、ガス噴出量を調整する円形調整用摘子を炭酸ガスボンベの収納ボックスの上部に位置させていることから、図１１に示す如く、炭酸ガス供給用ボンベの直立線上、即ち垂直軸線ｙ−ｙに対し円形調整用摘子は水平回転、即ち水平軸線ｘ−ｘは直角であることから、当然に円形調整用摘子を摘まむ指先Ｈａはその水平軸線ｘ−ｘに副い、更に腕先Ｈｂは水平軸線ｘ−ｘと垂直軸線ｙ−ｙとの中間軸線ｚ−ｚに存することとなり、その不自然な動作を手首Ｈｃの窮屈な曲げによって担っている。
特に、美顔器の使用場所によっては、座った高さと炭酸ガス供給用ボンベの収納筒体を置く高低差に伴い、座った位置が高い場合はその手首Ｈｃの屈折が大きくなり、使用に際し、著しい不快感が生じる。
更に極端に低い場合は、手首Ｈｃを逆折れすることともなる。
【先行技術文献】
【特許文献】
【０００４】
【特許文献１】実用新案登録第３１３６４６５号
【特許文献２】特許第４８７１９３７号
【発明の概要】
【発明が解決しようとする課題】
【０００５】
本発明は、炭酸ガス供給用ボンベの直立線上、即ち垂直軸線に対し、円形調整用摘子の回転軸線を直角とせず、不自然な手首動作を極力軽減することへの課題を解決する。
【課題を解決するための手段】
【０００６】
本発明は、
（ａ）炭酸ガスを導く可撓性ホースＰと、
（ｂ）スプレー本体Ｓであって、
（ｂ１）可撓性ホースＰの一端部に接続され、
（ｂ２）スプレー本体Ｓの先端に設けられる噴出ノズル３９と、
（ｂ３）スプレー本体Ｓに設けられ、所定量の化粧水を収納するカップ４０と、
（ｂ４）スプレー本体Ｓに設けられ、手先Ｈで操作される操作部３６とを備え、
（ｂ５）可撓性ホースＰからの炭酸ガスを操作部３６の操作によって開閉し、
（ｂ６）操作部３６の操作によって開いている状態で、可撓性ホースＰから導かれた炭酸ガスを、噴出ノズル３９から噴出させてカップ４０内の化粧水とともに、炭酸混合化粧水を、霧状に噴射するスプレー本体Ｓと、
（ｃ）炭酸ガス供給用ボンベＢであって、
（ｃ１）全体の形状が上下に細長く形成され、
（ｃ２）上端噴出口頭部３と、
（ｃ３）上端噴出口頭部３に形成されるネジ４と、
（ｃ４）上端噴出口頭部３に設けられる封印膜３ａとを有する炭酸ガス供給用  
ボンベＢと、
（ｄ）炭酸ガス供給用ボンベＢを収納する直立型ボンベ収納ボックスＸであって、
（ｄ１）全体の形状が上下に細長く形成され、
（ｄ２）炭酸ガス供給用ボンベＢの上端噴出口頭部３が螺合して炭酸ガス供給  
用ボンベＢの封印膜３ａを貫通する噴出用管１１を設けたソケット部
５と、
（ｅ）ソケット部５と連なるノズル部１４であって、
（ｅ１）炭酸ガス供給用ボンベＢからの炭酸ガスを可撓性ホースＰに供給する
流路と、
（ｅ２）この流路を開閉する弁杆２１と、
（ｆ）炭酸ガス噴出調整用の円形調整用摘子１９であって、
（ｆ１）直立型ボンベ収納ボックスＸの垂直線ｙ−ｙに対する水平線ｘ−ｘとで成す鋭角線ｗ−ｗ上に炭酸ガス噴出調整用の円形調整摘子１９を傾斜して上側部に位置させ、該円形調整摘子１９を一方向および反対方向に回転させることにって前記弁杆２１を一定傾斜の鋭角度θにてスライドさせて流路を開閉することを特徴とする美顔器。
【０００７】
更に本発明は、
（ａ）ノズル部１４はＹ字管型であって、
（ａ−１）下端管１５をソケット部５に連結し、
（ａ−２）一方分岐管１６を可撓性ホースＰに供給する口金２２に連ね、
（ａ−３）他方分岐管１７を弁杆２１が一定傾斜角度θにてスライドする様に位置させ、
（ｂ）弁杆２１の傾斜スライドによって可撓性ホースＰの口金２２への炭酸ガス供給を制御する様にしたことを特徴とするものである。
【０００８】
更に本発明は、
（ａ）直立型ボンベ収納ボックスＸであって、
（ａ−１）炭酸ガス供給用ボンベＢを収納する下側筒体２と、
（ａ−２）縦割の左右分割体１−１、１−２より成る上側筒体１とで構成し、
（ａ−３）左右分割体１−１、１−２にて炭酸ガス供給用ボンベＢのソケット部５、ノズル部１４を抱合し、
（ｂ）且つ上側部に円形調整用摘子１９を傾斜させて位置させたことを特徴とする請求項１記載の美顔器。
【０００９】
更に本発明は、
（ａ）縦割の左右分割体１−１、１−２より成る上側筒体１であって、
（ａ−１）内筒１７を抱合し、
（ｂ）この内筒１７に炭酸ガス供給用ボンベＢのソケット部５及びノズル部１４を装備したことを特徴とするものである。
【発明の効果】
【００１０】
（１）請求項１により、図１０に示す如く、炭酸ガス噴出調整用の円形調整用摘子１９を傾斜した状態にて回転操作でき、手首Ｈｃを極端に屈折して窮屈な状態にて回転操作することがない。
更に、円形調整用摘子１９は、専ら炭酸ガス供給用ボンベＢの元栓として機能させ、炭酸ガス噴出調整はスプレー本体Ｓにて手元栓として行う場合、一方の手先にてスプレー本体Ｓを保持してスプレー操作をしつつ、同時に他方の手先にて円形調整用摘子１９を回転操作することも予想され、極端な手首の折り曲げを意識しながら操作することもない。
【００１１】
（２）請求項２により、ノズル部１４をＹ字管型として、その一方分岐管１６を可撓性ホースＰに供給する口金２２に連ね、他方分岐管１７を弁杆２１が一定傾斜角度θにてスライドする様に位置させることによって、ノズル部１４は一対の部品として無駄のない理想的な形状となり、且つボンベ収納ボックスＸへの組み込みも簡潔となる。
【００１２】
（３）請求項３により、ノズル部１４、円形調整用摘子１９等を保持する収納ボックスＸの部分が傾斜することによって、収納ボックスＸの成型が実質的には不可能に近い極めて複雑となるが、収納ボックスＸを下側筒体２と縦割の左右分割体１−１、１−２より成る上側筒体１とで構成し、上側筒体１の左右分割体１−１、１−２にて炭酸ガス供給用ボンベＢのソケット部５、ノズル部１４を抱合することによって、収納ボックスＸの成型が容易となる。            
【図面の簡単な説明】
【００１３】
【図１】本発明に係る美顔器の使用状態を示す斜視図
【図２】美顔器の全体斜視図
【図３】スプレー本体の断面図
【図４】同上の部分拡大断面図
【図５】スプレー本体の部分断面平面図
【図６】スプレー本体の部分断面図
【図７】同上の動作状態を示す拡大部分断面図
【図８】上側筒体の斜視図
【図９】ノズル部の分解斜視図
【図１０】本発明に係る円形調整用摘子の回転操作状態図
【図１１】技術文献２に係る円形調整用摘子の回転操作状態図
【発明を実施するための形態】
【００１４】
以下本発明を実施形態の図面に基づいて説明する。図１は美顔器の使用状態を示す斜視図であって、使用者が手先Ｈにてスプレー本体Ｓの握手部Ｓａを保持している。図２は、美顔器全体を示す斜視図であって、下広状のスカート状に形成した直立型ボンベ収納ボックスＸを合成樹脂にて成形した上下側筒体１、２にて構成しており、スプレー本体Ｓがボンベ収納ボックスＸの側面Ｘａに着脱自在に装着されている。更に図６は、上側筒体１に装填された炭酸ガス供給用ボンベＢの食出し部Ｂａを下側筒体２に収納した状態を示している。
【００１５】
而して、具体的には炭酸ガス供給用ボンベＢの上端噴出口頭部３に形成されたネジ４を上側筒体１のソケット部５のネジ孔６に捻じ込まれるのであるが、合成樹脂製の上側筒体１は図８に示す如く、縦割の左右分割体１−１、１−２より成っており、内筒７を抱合する。
この抱合は、上側筒体１の下開口１ａの縁に形成された段部１ｂに金属リング１０を嵌合させることによって行っており、内筒７には抜止段部８が設けられており、左右分割体１−１、１−２の抜止段部９に係合する。
【００１６】
更に、ソケット部５のネジ孔６には炭酸ガス供給用ボンベＢの封印膜３ａを貫通する噴出用管１１を設けた栓座１２を螺着している。この栓座１２と封印膜３ａとの間にはパッキン１３を介在している。
而して、ソケット部５にはノズル部１４が連結されることとなる。具体的にはノズル部１４を、栓座１２に螺着される下端管１５、この下端管１５から分岐された一方分岐管１６及び他方分岐管１７より成るＹ字管型としており、３者１５、１６、１７は互いに連通して炭酸ガスを充満して流路を形成する弁内孔１８を構成する。
【００１７】
他方分岐管１７の内孔１８ａにはガス噴出量を調整する円形調整用摘子１９の押圧体２０にて弁杆２１が一定傾斜の鋭角度θにてスライドする様、挿入しており、円形調整用摘子１９を一方向および反対方向に回転させることによって弁杆２１を一定傾斜の鋭角度θにてスライドさせて流路を開閉する。
而して、円形調整用摘子１９の押圧体２０にて弁杆２１がスライドする一定傾斜の鋭角度θとは、図７、１０にて示す如く、直立型ボンベ収納ボックスＸの垂直線ｙ−ｙに対する水平線ｘ−ｘと鋭角線ｗ−ｗとで成す鋭角度θを称し、鈍角、直角に対する用語である。
一方、分岐管１６の内孔１８ｂは垂直に形成され、炭酸ガスを可撓性ホースＰに導く口金２２を接続している。
【００１８】
具体的には、口金２２をノズル部１４の分岐管１６に螺合し、分岐管１６の内孔１８ｂと口金２２の内孔２２ａとを連ね流路を形成している。
口金２２と可撓性ホースＰとはユニバーサル継手２３にて接続されており、ユニバーサル継手２３は上側筒体１の垂直線ｙ−ｙ上に位置することから縦割の左右分割体１−１、１−２の分割線を天板シール２４にて覆っている。
【００１９】
而して、上側筒体１の左右分割体１−１、１−２は、内筒７と共に、Ｙ字管型ノズル部１４及び口金２２を抱合しており、金属リング１０と共に、締付ネジ２５にて一体化している。この締付ネジ２５の位置はＹ字管ノズル部１４、口金２２、円形調整用摘子１９の回転操作に支障がない位置となっている。
更に左右分割体１−１、１−２の内面には、Ｙ字管型ノズル部１４、口金２２等の位置決めを兼ねた縦横補強リブ２６を所望数適宜位置形成している。
円形調整用摘子１９は、一方向および反対方向に回転することによって押圧体２０が弁杆２１を一定傾斜の鋭角度θにてスライドさせる様に傾斜して配置されることから、直立型ボンベ収納ボックスＸの垂直線ｙ−ｙに対し、鋭角線ｗ−ｗ上に装備されることとなり、該鋭角線ｗ−ｗ上に円形調整用摘子１９の保持部２７が傾斜して突出形成される。
【００２０】
この保持部２７は左右分割体１−１、１−２の内面に縦横補強リブ２６と共に、左右分割保持部２７−１、２７−２にて形成され、左右分割体１−１、１−２の抱合によって、一体化される。この一体化は左右分割保持部２７−１、２７−２の外周ネジ２８にカップリング２９を螺合して成す。
更に、この保持部２７には円形調整用摘子１９の押圧体２０が鋭角度θにてスライドする様、ボス３０が設けらており、両者１９、３０に形成された螺旋部１９ａ、３０ａによって円形調整用摘子１９が鋭角線ｗ−ｗ上を進退する。
押圧体２０はバネ３１にて弁杆２１の上端に弾圧されており、且つそのバネ力は弁杆２１のバネ３２のバネ力より勝っている。
【００２１】
尚、図６に示す如く、円形調整用摘子１９の回転は、右方向への回転によって押圧体２０がバネ３２に抗して弁杆２１を押すと共にスライドさせ、弁内孔１８を開く状態、即ちガス流路を開き、更に図７に示す如く、反対の右方向への回転によって押圧体２０が弁杆２１の押圧を緩めて弁杆２１がバネ３２復帰し、弁内孔１８を閉じる状態、即ちガス流路を閉じる構成としているが、社会通念として、大型の炭酸ガスボンベ、プロパンガス等の如く、元栓である円形調整用摘子１９を右方向への回転によってガス噴出を閉じ、更に左方向への回転によってガス噴出状態とするが、勿論、本発明に係る実施例の如く、円形調整用摘子１９を左方向への回転によって、ガス噴出を閉じ、更に右方向への回転によってガス噴出状態としてもよく、更には逆ネジによって右方向への回転にてガス噴出を閉じることとして社会通例に副わしてもよい。
【００２２】
図３、４はスプレー本体Ｓの具体例を示し、図２に示す如く、ボンベ収納ボックスＸの側面Ｘａに備えられたホルダー３３にスプレー本体Ｓの握手部Ｓａが着脱自在に引掛けられる。
而して、スプレー本体Ｓは、ボンベ収納ボックスＸのユニバーサル継手２３から導き出された可撓性ホースＰが握手部Ｓａの内部Ｓｂに引込まれ、ガスケット３４に接続される。
可撓性ホースＰは、引込口金３５に接続され、更に中継用パイプＰａを介してガスケット３４に接続される。
【００２３】
このガスケット３４は、弁機構３４ａを有し、スプレー本体Ｓに反転自在に軸支持された操作部３６にて弁機構３４ａを動作させ、中継用パイプＰａからの炭酸ガスの送出、停止を操作する。
即ち、このスプレー本体Ｓの操作部３６は、円形調整用摘子１９がガス噴出用制御元栓として機能付すれば、スプレー本体Ｓの手元栓としての位置付けとなり、適宜選択すればよい。
而して、操作部３６は、軸３７にて支持され、軸３７に備えられたコイルバネ３７ａにて矢印ａの方向に付勢されており、操作部３６を指先にて引くことによって、矢印ａと反対方向に反転させ、操作部３６の下縁３６ａが弁機構３４ａの弁杆３４ｂを押し下げ、炭酸ガスが送出される。
【００２４】
更に弁機構３４ａの送出口には送出用パイプＰｂの一端が接続されており、他端がガス噴出用ヘッド部３８に接続され、先端ノズル３９から操作部３６の操作によって炭酸ガスが噴出することとなる。
このガス噴出用ヘッド部３８には化粧水を収納するカップ４０を、導管４１を介して一定角度回動する様、軸支持しているが、仮にスプレー本体Ｓを所望の角度で操作した場合においても、カップ４０内の化粧水を常に最適な状態に修正追随させ、炭酸ガスのみが噴出することがない。
【００２５】
而して、この混合化粧水の噴出は、ガス噴出用ヘッド部３８の内部において化粧水と混合させているが、勿論、先端ノズル３９の近傍にカップ４０を位置させ、炭酸ガスの噴出に伴い、化粧水を引き寄せる形式としてもよく、最終的に腕、足、身体の肌面への炭酸混合化粧水を霧状に噴射すればよいのであって、特に限定するものではない。
（使用動作説明）
【００２６】
次に本発明美顔器の使用順序を説明する。スプレー本体Ｓにおける操作部３６の使用動作は、前述の技術文献２に類似する。
図７は炭酸ガス供給用ボンベＢの噴出口頭部３が上側筒体１のソケット部５に捻じ込まれており、ソケット部５の噴出用管１１が炭酸ガス供給用ボンベＢの封印膜３ａを貫通している。
【００２７】
而してノズル部１４の弁杆２１は鋭角線ｗ−ｗ上において、上方位置に位置し、可撓性ホースＰの口金２２に連なっている一方分岐管１６の内孔１８ｂは閉塞された状態となっており、炭酸ガスは遮断されている。
上記状態より図６に示す如く、円形調整用摘子１９を回転させて鋭角線ｗ−ｗ上を下方位置にスライドさせれば、押圧体２０が弁杆２１を鋭角線ｗ−ｗ上を下方スライドさせ、弁内孔１８を開く状態、即ちガス流路を開いて一方分岐管１６の内孔１８ｂは開かれ、炭酸ガスはスプレー本体Ｓに至り、スプレー本体Ｓの操作にて炭酸ガスの噴出が可能となる。
勿論、円形調整用摘子１９を逆回転させれば、押圧体２０及び弁杆２１が鋭角線ｗ−ｗ上に上方スライドし、図７の状態となって炭酸ガス流路を遮断することとなる。
【産業上の利用可能性】
【００２８】
本発明は美顔器としているが、勿論、他の腕、足、身体の肌面への炭酸混合化粧水を噴射することも出来るのである。
【符号の説明】
【００２９】
Ｈ    使用者の手先
Ｓ    スプレー本体
Ｂ    炭酸ガス供給用ボンベ
Ｘ    直立型ボンベ収納ボックス
ｘ−ｘ水平線
ｙ−ｙ垂直線
ｗ−ｗ鋭角線
θ    鋭角度
１    上側筒体
１−１左分割体
１−２右分割体
２    下側筒体
３    上端噴出口頭部
５    ソケット部
６    ネジ
７    内筒
１２  栓座
１４  Ｙ字管型ノズル部
１５  下端管
１６  一方分岐管
１７  他方分岐管
１８  弁内孔
１９  円形調整用摘子
２０  押圧体
２１  弁杆
２２  口金
【図１】
2015058028.tif 000003
【図２】
2015058028.tif 000004
【図３】
2015058028.tif 000005
【図４】
2015058028.tif 000006
【図５】
2015058028.tif 000007
【図６】
2015058028.tif 000008
【図７】
2015058028.tif 000009
【図８】
2015058028.tif 000010
【図９】
2015058028.tif 000011
【図１０】
2015058028.tif 000012
【図１１】
2015058028.tif 000013